【手続補正書】
【提出日】平成19年4月9日(2007.4.9)
【手続補正１】
【補正対象書類名】明細書
【補正対象項目名】発明の名称
【補正方法】変更
【補正の内容】
【発明の名称】印刷装置
【手続補正２】
【補正対象書類名】明細書
【補正対象項目名】特許請求の範囲
【補正方法】変更
【補正の内容】
【特許請求の範囲】
【請求項１】  ページ記述言語にて記述された印刷ジョブを入力する入力手段と、
前記入力手段により入力された印刷ジョブを記憶する記憶手段と、
前記記憶手段に記憶された複数の印刷ジョブの中から、第１印刷ジョブと該第１印刷ジョブに結合すべき第２印刷ジョブを選択する選択手段と、
前記第１印刷ジョブを記述するページ記述言語と前記第２印刷ジョブを記述するページ記述言語の種類が異なる場合に、前記第１印刷ジョブおよび前記第２印刷ジョブを同種のページ記述言語で記述された印刷ジョブに変換する変換手段と、
前記変換手段により同種のページ記述言語での記述に変換された前記第１印刷ジョブおよび前記第２印刷ジョブを結合して第３印刷ジョブを生成する結合手段と、
前記第３印刷ジョブに基づいて印刷処理を実行する印刷手段と、
を有することを特徴とする印刷装置。
【請求項２】  前記変換手段は、前記第１印刷ジョブおよび前記第２印刷ジョブの少なくとも一方をラスタライズ処理してビットマップ形式の画像データを生成し、該ビットマップ形式の画像データをページ記述言語にて記述された印刷ジョブに変換することで、前記第１印刷ジョブおよび前記第２印刷ジョブを同種のページ記述言語で記述された印刷ジョブに変換することを特徴とする請求項１に記載の印刷装置。
【請求項３】  前記第１印刷ジョブおよび前記第２印刷ジョブを結合する際の、前記第１印刷ジョブに対する前記第２印刷ジョブの挿入位置を指定する指定手段を有し、
前記結合手段は、前記指定手段が指定した挿入位置に前記第２印刷ジョブが挿入されるよう前記第３印刷ジョブを生成することを特徴とする請求項１または２に記載の印刷装置。
【請求項４】  前記入力手段は、外部装置から前記印刷ジョブを受信することで該印刷ジョブを入力することを特徴とする請求項１乃至３のいずれか１項に記載の印刷装置。
【手続補正３】
【補正対象書類名】明細書
【補正対象項目名】０００１
【補正方法】変更
【補正の内容】
【０００１】
【発明の属する技術分野】
本発明は、印刷装置に関するものである。
【手続補正４】
【補正対象書類名】明細書
【補正対象項目名】０００６
【補正方法】変更
【補正の内容】
【０００６】
本発明は、種類の異なるページ記述言語にて記述された複数の印刷ジョブを結合して新たな印刷ジョブを生成し、新たな印刷ジョブに基づいて印刷処理を実行する印刷装置を提供することを目的とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
【課題を解決するための手段】
上記目的を達成するために、請求項１記載の印刷装置は、ページ記述言語にて記述された印刷ジョブを入力する入力手段と、前記入力手段により入力された印刷ジョブを記憶する記憶手段と、前記記憶手段に記憶された複数の印刷ジョブの中から、第１印刷ジョブと該第１印刷ジョブに結合すべき第２印刷ジョブを選択する選択手段と、前記第１印刷ジョブを記述するページ記述言語と前記第２印刷ジョブを記述するページ記述言語の種類が異なる場合に、前記第１印刷ジョブおよび前記第２印刷ジョブを同種のページ記述言語で記述された印刷ジョブに変換する変換手段と、前記変換手段により同種のページ記述言語での記述に変換された前記第１印刷ジョブおよび前記第２印刷ジョブを結合して第３印刷ジョブを生成する結合手段と、前記第３印刷ジョブに基づいて印刷処理を実行する印刷手段と、を有することを特徴とする。
【手続補正７】
【補正対象書類名】明細書
【補正対象項目名】０００９
【補正方法】変更
【補正の内容】
【０００９】
請求項２記載の印刷装置は、請求項１記載の印刷装置において、前記変換手段は、前記第１印刷ジョブおよび前記第２印刷ジョブの少なくとも一方をラスタライズ処理してビットマップ形式の画像データを生成し、該ビットマップ形式の画像データをページ記述言語にて記述された印刷ジョブに変換することで、前記第１印刷ジョブおよび前記第２印刷ジョブを同種のページ記述言語で記述された印刷ジョブに変換することを特徴とする。
【手続補正８】
【補正対象書類名】明細書
【補正対象項目名】００１０
【補正方法】変更
【補正の内容】
【００１０】
請求項３記載の印刷装置は、請求項１又は２記載の印刷装置において、前記変換手段は、前記第１印刷ジョブおよび前記第２印刷ジョブの少なくとも一方をラスタライズ処理してビットマップ形式の画像データを生成し、該ビットマップ形式の画像データをページ記述言語にて記述された印刷ジョブに変換することで、前記第１印刷ジョブおよび前記第２印刷ジョブを同種のページ記述言語で記述された印刷ジョブに変換することを特徴とする。
【手続補正９】
【補正対象書類名】明細書
【補正対象項目名】００１１
【補正方法】変更
【補正の内容】
【００１１】
請求項４記載の印刷装置は、請求項１乃至３のいずれか１項に記載の印刷装置において、前記入力手段は、外部装置から前記印刷ジョブを受信することで該印刷ジョブを入力することを特徴とする。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１６
【補正方法】変更
【補正の内容】
【００１６】
コンピュータ１０３ａ，１０３ｂ及び１０３Ｃはドキュメントサーバにジョブ（印刷ジョブ）を送るクライアントである。図示されていないがクライアントはこれらのほかにも多数接続されている。以下クライアントを代表して１０３と表記する。
【手続補正１３】
【補正対象書類名】明細書
【補正対象項目名】００６１
【補正方法】変更
【補正の内容】
【００６１】
ラスタライズ処理（ＲＩＰ）部 １２０３は複数個存在することも可能だが、ここでは総称して１２０３と記載する。ＲＩＰモジュールは様々なジョブのＰＤＬをＲＩＰ処理して、適切なサイズと解像度のビットマップ形式のデータを作成する。ＲＩＰ処理に関しては、PostScript（Adobe社の商標登録）をはじめ、ＰＣＬ、ＴＩＦＦ、ＪＰＥＧ、ＰＤＦなど様々なフォーマットのラスタライズ処理が可能である。
【手続補正１４】
【補正対象書類名】明細書
【補正対象項目名】００６３
【補正方法】変更
【補正の内容】
【００６３】
出力ジョブ制御部１２０５は、ジョブのページイメージを取って、それらがコマンド設定に基づいてどう扱われるのかを管理する。ページはプリンタに印刷されたり、ハードディスク１２０７にセーブされる。印刷処理後のジョブは、ハードサーバ１２０７に残すか否かは選択可能であり、セーブされた場合には、再呼び出しすることもできる。さらに、このモジュールはハードディスク１２０７とＲAＭ１２０８との相互作用を管理する。
【手続補正１５】
【補正対象書類名】明細書
【補正対象項目名】０１２６
【補正方法】変更
【補正の内容】
【０１２６】
次に、図４６は図４４と図４５をマージした後のファイルとＰＤＬを表したものであり、Index部がPage１とPage２、Chapture１がPage３とPage４に対応するように変換されている。このフローを表したのが図４３のインポートモードであり、オリジナルファイル（図４４）のＰＤＬファイル（第１印刷ジョブ）をジョブマージツール２８０１を用いて読み込んで、次にインポートされるファイル（図４５）のＰＤＬ（第２印刷ジョブ）も読み込んで、インポートファイルの挿入位置を指定し、オリジナルファイルの指定位置にインポートファイルを挿入する。ここで形成されたＰＤＬデータ（第３印刷ジョブ）が図４６であり、１つのＰＤＬデータに変換されている。
【手続補正１６】
【補正対象書類名】明細書
【補正対象項目名】０１４０
【補正方法】変更
【補正の内容】
【０１４０】
［第３の実施の形態］
［異種フォーマット間のジョブマージ］
次に、様々な画像フォーマット同士間でも同種のページ記述言語でマージできるようにする方法を考える。
【手続補正１７】
【補正対象書類名】明細書
【補正対象項目名】０１４７
【補正方法】変更
【補正の内容】
【０１４７】
【発明の効果】
以上説明したように、本発明によれば、種類の異なるページ記述言語にて記述された複数の印刷ジョブを結合して新たな印刷ジョブを作成し、新たな印刷ジョブに基づいて印刷処理を実行する印刷システムを提供することができる。
【手続補正１８】
【補正対象書類名】明細書
【補正対象項目名】０１４８
【補正方法】削除
【補正の内容】